(57)【要約】【課題】いわゆるフラットドアにおいて、簡易な構成を用いて解放時の十分な開口を確保するとともに、さらにスムースな引戸の開閉動作を実現する。【解決手段】スライド案内部材が上辺及び下辺の左右端部側に各々突設された所定の開口部を閉鎖する引戸２，３と、開口部の上下に各々設けられ縦スライド傾斜溝１１，１２，１３，１４が延設された直線状の横スライド溝１０と、少なくとも中央側の横スライド溝１０と縦スライド傾斜溝１３，１４との接続部において配置された切り替えポイント４ａ，４ｂとを備え、引戸２，３が閉鎖時にはそのスライド案内部材により各縦スライド傾斜溝で案内されて面一状に並列し開放時には引違い状態に重畳するスライドドアにおいて、少なくとも引戸２，３の下辺側のスライド案内部材が、各々支持軸を介して水平角度可変に設けられて各スライド溝を走行する車輪を備えたキャスター８としたスライドドア１とする。【選択図】        図８
2004218192.tif 000002
【特許請求の範囲】
【請求項１】
スライド案内部材が上辺及び下辺の左右端部側に各々突設された所定の開口部を閉鎖する複数の引戸と、前記引戸の上辺及び下辺に突設された左右のスライド案内部材の間隔に合致する間隔を有する２本の縦スライド傾斜溝が延設され前記開口部の上下に各々設けられた直線状の横スライド溝と、少なくとも中央側の前記横スライド溝と縦スライド傾斜溝との接続部において配置された切り替えポイントとを備え、前記複数の引戸が、閉鎖時にはそのスライド案内部材により各縦スライド傾斜溝で案内されて面一状に並列し開放時には引違い状態に重畳するスライドドアにおいて、
少なくとも前記引戸の下辺側のスライド案内部材が、各々支持軸を介して水平角度可変に設けられて前記各スライド溝を走行する車輪を備えたことを特徴とするスライドドア。
【請求項２】
前記切り替えポイントが、前記スライド案内部材が通過する毎に切り替わる請求項１記載のスライドドア。
【請求項３】
前記切り替えポイントが、前記開口部上下の双方に設けられた請求項１または２記載のスライドドア。
【請求項４】
前記スライド案内部材の基部が回動可能に前記引戸に装着されているとともに前記スライド案内部材の本体部が前記基部の中心軸に対し偏芯して設けられ、前記基部を回動させることにより前記スライド案内部材を前記偏芯距離の範囲で前後方向に位置調整可能な請求項１，２または３記載のスライドドア。
【発明の詳細な説明】
【０００１】
【発明の属する技術分野】
本発明は、家具や物置等の開口部に設ける、左右の引戸が閉鎖時に面一状態（フラット面）を形成して並列し、解放時には引違い状態で重畳するスライドドアに関する。
【０００２】
【従来の技術】
家具や物置等の開口部に設ける、閉鎖時に左右の引戸が面一なフラット面を形成するスライドドア（以下「フラットドア」という）としては、特開昭５６−７７４７８号公報において、保管庫の本体部上下に直線状の主溝の両端及び内側部に２組の傾斜溝を各々設け、内側部の傾斜溝と主溝との切り替えポイントにおいてガイド片の開閉により各引戸上下の左右部に設けた案内軸（案内部材）を誘導して、引戸の面一な閉鎖と重畳した引違い状態の解放を行うフラットドアが提示されている。
【０００３】
このフラットドアは、ガイド片が常時引戸の中央側案内軸を主溝から傾斜溝に誘導する規制位置になるようにスプリングで付勢されており、他方の引戸が閉鎖位置にあるときにその中央側案内軸によりガイド片の基端を開放側に回動させた状態にして、案内軸が主溝の切り替えポイントを通過可能とするものであり、自動的な溝の案内方向の切り替えを実現している。
【０００４】
しかし、このフラットドアは、引戸が大きくスライドしてその外側案内軸が切り替えポイントを通過すると主溝を逆方向に戻れなくなることから、これを通過しない位置で停止させて引違い状態にする必要がある。そのため、開口部が十分に解放されずに使い勝手が悪いという問題がある。
【０００５】
これに対し、特開昭６１−２１１４８１号公報には、横スライド案内溝（主溝）の両端に直線状の収納案内溝が延設されるとともに、引戸の外側案内ピンを中央側案内ピンより短くして中央部の切り替えポイントにおいて外側案内ピンを通過させる通過空間が設けられたフラットドアが開示されている。
【０００６】
このフラットドアは、引戸の外側案内ピンがスペーサーを備えた中央部切り替えポイントを切り替えずに通過できるとともに、収納案内溝が設けられて両引戸を完全に重ねて引違い状態にできる点で優れた技術である。
【０００７】
しかし、斯かるフラットドアにおいては敷居側の案内ピン（案内部材）及び溝部分に引戸の全荷重が加わるとともにゴミ等が溜まりやすいものである。また、敷居側に切り替えポイント配置した場合、搬入物等がこれに当たってポイントが切り替わってしまう等のトラブルが生じ易いため、敷居側の溝に切り替えポイントを配置しにくい。そこで、切り替えポイントを鴨居側にのみ配置する構成にしたが、引戸の上部のみの誘導ではその開閉動作がスムースに行われない。
【０００８】
また、このフラットドアは、切り替えポイントの構成が外側部と中央部とが異なるとともに構成が複雑で機能障害を起こし易いものである。さらに、引戸下部の案内ピンには引戸の重量を支えながら横移動及び縦移動をするためのボール体を配置しているが、ゴミや埃が溜まりやすい敷居においてはボール体の回転が阻害されやすく、引戸のスライド動作が重くなってしまう場合も多い。
【０００９】
【発明が解決しようとする課題】
本発明は、上記のような問題点を解決しようとするものであり、いわゆるフラットドアにおいて、簡易な構成を用いて解放時の十分な開口を確保するとともに、さらにスムースな引戸の開閉動作を実現することを課題とするものである。
【００１０】
【課題を解決するための手段】
そこで、本発明は、スライド案内部材が上辺及び下辺の左右端部側に各々突設された所定の開口部を閉鎖する複数の引戸と、前記引戸の上辺及び下辺に突設された左右のスライド案内部材の間隔に合致する間隔を有する２本の縦スライド傾斜溝が延設され前記開口部の上下に各々設けられた直線状の横スライド溝と、少なくとも中央側の前記横スライド溝と縦スライド傾斜溝との接続部において配置された切り替えポイントとを備え、前記複数の引戸が、閉鎖時にはそのスライド案内部材により各縦スライド傾斜溝で案内されて面一状に並列し開放時には引違い状態に重畳するスライドドアにおいて、少なくとも前記引戸の下辺側のスライド案内部材が、各々支持軸を介して水平角度可変に設けられて前記各スライド溝を走行する車輪を備えたことを特徴とするスライドドアとした。
【００１１】
これにより、引戸の下辺側案内部材をスライド溝により案内される所定幅の車輪として、引戸の重量が大きい場合や溝にゴミがある場合でもスムースな横方向のスライド動作を行えるとともに、横スライド溝と縦スライド傾斜溝との各接続部において、車輪の水平角度が容易に変更されて容易に車輪の方向変換が行われて引戸の縦方向のスライド動作がスムースに行われる。
【００１２】
また、前記切り替えポイントを、前記スライド案内部材が通過する毎に切り替わるようにすれば、引戸における左右のスライド案内部材の高さに差違を設けなくても引戸の外側案内部材を中央部の切り替えポイントを通過させて引戸を大きく開放させることができるため、十分な開口を確保することができる。
【００１３】
さらに、前記切り替えポイントを前記開口部上下の双方に各々設ければ、引戸が上下の双方で案内されてさらにスムースな引戸の開閉動作が実現する。この場合、横スライド溝と縦スライド傾斜溝とが接続する角部において例えば楔状の可動版の基端部左右に各々凸部を設けたものをピンで回動自在に設ける等総て同じ構成の単純なものとすれば、敷居側にも設置容易で機能トラブルの少ないスライドドアとすることができる。
【００１４】
さらにまた、前記スライド案内部材の基部が回動可能に前記引戸に装着されているとともに前記スライド案内部材の本体部が前記基部の中心軸に対し偏芯して設けられ、前記基部を回動させることにより前記スライド案内部材を前記偏芯距離の範囲で前後方向に位置調整可能なスライドドアとすれば、引戸の前後方向（内外方向）の微調整が可能となる。
【００１５】
【発明の実施の形態】
次に、本発明の実施の形態について、図面を用いながら以下に詳細に説明する。尚、異なる実施の形態であっても、同じ構成要素には同一の符号を付して説明する。
【００１６】
図１は、本発明における好ましい実施の形態を示すものであり、スライドドア１を備えた物置５０の開口部には、引戸２，３がこれを完全に閉鎖して面一状態に並列している。また、開口部の上下には図示しないスライド溝が各々設けられて、引戸２，３上辺の案内部材としての案内軸２０，２０，２０，２０，下辺の案内部材としてのキャスター８，８，８，８が、各スライド溝で保持されて引戸２，３が閉鎖状態を保っている。
【００１７】
図２は、図１のＸ−Ｘ線に沿う部分断面図を示しており、図中上が物置５０の内側で下が外側である。本図において引戸２，３は一点鎖線で示しているが、これらが面一状態に並列して物置５０の開口部を完全に覆っている。
引戸２，３の後方において開口下部５２（敷居）上に開口面に対し平行かつ水平に横スライド溝１０が配置され、横スライド溝１０の左端及び中央寄りから各々斜め外側方向に一対の縦スライド傾斜溝１１，１３が延設されている。また、右端及び中央寄りから前記縦スライド傾斜溝１１，１３に対称に一対の縦スライド傾斜溝１２，１４が延設されている。
【００１８】
図２において、引戸２，３各下辺の左右端部付近に配置されたキャスター８，８，８，８が、縦スライド傾斜溝１１，１２，１３，１４中に誘導された状態で引戸２，３を物置５０の開口面に並列させている。
【００１９】
図３の（Ａ）は、図２の縦スライド傾斜溝１３周辺の部分拡大図であるが、図２とは上下逆に示している。図３の（Ｂ）は図ＡのＹ−Ｙ線に沿う横スライド溝１０の断面図である。図３の（Ａ）に示すように、横スライド溝１０と縦スライド傾斜溝１３との分岐角部には切り替えポイント４ａが設けられて、破線で示すキャスター８の進行方向を規制している。切り替えポイント４ａは楔状の可動板５がピン６を中心に所定範囲で回動自在に設けられている。
【００２０】
可動版５は、楔形状の基端部左右に山状に突出した凸部５ａ，５ｂを有し、切り替えポイント４ａ地点をキャスター８が通過する際、キャスター８の車輪が凸部５ａまたは５ｂを押して可動板５を回動させて誘導方向を切り替える。尚、図５に示すように、切り替えポイント４ａを、可動板５の基端部中心に凸部５ｃを設けた可動板５Ｂ及び凸部５ｃに圧接して各切り替え方向で可動板５Ｂを安定させて保持する規制突起７とを備えた切り替えポイント４Ｂにすれば、キャスター８が通過しないのに可動板が切り替わる等のトラブルを最小限とすることができる。
【００２１】
図３の（Ｂ）に示すように、横スライド溝１０は底部が平坦な樋状でキャスター８の車輪幅より僅かに幅広な溝幅を有しており、開口下部５２に埋設されて配置されている。また、各縦スライド溝も断面は同様である。
尚、各スライド溝の深さを、これに保持する車輪の径より深くして両側壁の上部に車輪が上方向に脱出させないフランジ部１０ｂを設けた溝１０Ｂのようにすれば（図の（Ｃ））、引戸の脱落や盗難防止に有効である。
【００２２】
図４は、キャスター８が縦スライド傾斜溝１３中に保持されている状態の部分断面図を示すが、キャスター８は前述のように溝幅より僅かに狭小な幅を有し、溝の両側壁で車輪８ａ，８ｂの外側面が保持され、左右に遊動することなく溝中を安定して走行できるようになっている。また、キャスター８は、支持軸８ｃが基部８ｄにより水平方向に回動自在に装着されており、横スライド溝１０と各縦スライド傾斜溝との接続による車輪の進行角度の変化に対応できるようになっている。斯かる回動キャスター方式は、従来のボール案内部材式と比較して、走行がスムースで軽いとともに、方向転換も容易であるばかりかゴミや埃によるトラブルも極めて少ない。
【００２３】
尚、図６に示すキャスター８Ｂのように、引戸取付部分において高低アジャスターナット９を設ければ、引戸取付作業が容易となるとともに、引戸高さの微調整も容易となる。さらに、図１０に示すように一輪式のキャスター８Ｃにすれば、各スライド溝の幅を小さくすることができ、開口部上下の鴨居及び敷居部分の幅をより少なくすることができる。
【００２４】
図７の（Ａ）は、引戸２，３の上辺の各左右端部側に配置する案内部材である、案内軸２０を示し、図７の（Ｂ）はその平面図である。引戸上辺に設ける案内部材は案内軸２０のように円柱状であることが摩擦軽減の観点から好ましいが、角柱状、さらには車輪等でも可能である。
案内軸２０は、上部に軸２０ａを中心に回動するリング体２０ｂを備えるとともに（図７の（Ａ））、引戸に装着する基部２０ｃがナット２０ｄで回転可能になっていて、軸２０ａが基部２０の回転軸に幅ｒだけ偏芯して設けられている（図７の（Ｂ））。また、軸２０ａは、基部２０ｃにおいて上下可動に設けられるとともに、バネ等の弾性部材で上方向に付勢されている。
【００２５】
リング体２０ｂを設けることで、溝との摩擦が少なくなって引戸の開閉動作もスムースとなる。また、案内部材を上方向に付勢して設けたことで、引戸の開口部への脱着が容易となるとともにガタツキも少なくなる。そして、基部２０ｃのナット２０ｄを回転させて軸２０ａを偏芯分前後に動かせば、引戸を基部２０ｃの中心から幅ｒの範囲で前後に動かして位置の調整を行うことができる。さらに、図１１のように、開口上部側のスライド案内部材も車輪としたキャスター８Ｄとすれば、これを上方向に強く付勢しても引戸のスライド動作はスムースとなる。
【００２６】
尚、開口上部５３（鴨居）におけるスライド溝の構成は、開口下部５２（敷居）のスライド溝の構成とは、案内ピン２０の幅に適合した溝幅となる点を除き同様である。従って、開口上部５３にも切り替えポイントを設置することで、上下双方から引戸の方向転換を案内して開閉動作が極めてスムースとなる。
【００２７】
次に、本実施の形態であるスライドドア１の動作を説明する。
図８，図９は、開口下部５２の上における引戸２，３の動作状態を示すものであり、図中上が外部方向で下が内部方向である。図８において、引戸３の開け動作を説明するが、図８の（Ａ）において、一点鎖線で示す引戸２，３は面一状態に並列して開口部を閉鎖している。尚、引戸２，３の下辺の各キャスター８の車輪は引戸２，３に対して傾斜した方向で保持されている。
【００２８】
この状態から引戸３を図中右方向にスライドさせると、キャスター８，８は縦スライド傾斜溝１２，１４に案内されて斜めに内部方向に引き込まれる。その際、中央側のキャスター８は切り替えポイント４ｂを通過し、これを切り替える。さらに引戸３を右方向にスライドさせるとキャスター８，８は横スライド溝１０に入り、両キャスター８の各車輪は引戸３に平行な状態で走行する（図８の（Ｂ））。その際、中央側のキャスター８は切り替えポイント４ａを通過してこれを切り替える。尚、斯かるキャスター８の車輪の方向転換及び走行は、各案内溝に案内されて遊動することなく極めてスムースである。
【００２９】
さらに引戸３をスライドさせると、外側のキャスター８は切り替えポイント４ａにより、走行を規制され、縦スライド傾斜溝１３方向に方向転換させられ、中央側のキャスター８は横スライド溝１０に延設された縦スライド傾斜溝１１方向に方向転換させられ、引戸３は引戸２の背面に重畳して停止する（図８の（Ｃ））。斯かる状態においては、内側の引戸３の側辺は開口部の中央位置において引戸２の側辺から過度に突出せず、開口部は十分に開口する。
【００３０】
図９は、図８とは反対に引戸３を引戸２に重畳した状態から面一状態に並列させて閉鎖する動作を示す。図９の（Ｄ）の状態から引戸３を図中左にスライドさせると、各キャスター８は引戸３に平行になり、外側のキャスター８が切り替えポイント４ｂを切り替えて進行する（図９の（Ｅ））。さらに左にスライドさせると中央側のキャスター８が切り替えポイント４ａを切り替えてから、切り替えポイント４ｂにより走行を規制されて縦スライド傾斜溝１４により方向転換させられ、外側のキャスター８は縦スライド傾斜溝１２に方向転換させられる。そして、引戸３は外側方向に導かれて引戸２と面一状態に並列して開口部５２を閉鎖して停止する（図９の（Ｆ））。
【００３１】
以上述べた各動作はスムースかつ軽快であり、切り替えポイントのトラブルも極めて少なく引戸の閉鎖・開放が確実に行われる。
尚、本発明を実施するための最良の形態は以上の説明で十分に示したが、本発明はこれらに限定されるものではない。例えば、本発明は物置に限らず建具や家具等、開口を面一状態に並列して閉鎖することが望まれる物総てに利用できる。
【００３２】
【発明の効果】
以上述べたように、本発明のスライドドアにより、いわゆるフラットドアにおいて簡易な構成を用いて解放時の十分な開口を確保しながら、さらにスムースな引戸の開閉動作を実現することができた。
【図面の簡単な説明】
【図１】本発明における好ましい実施の形態の斜視図である。
【図２】図１のＸ−Ｘ線沿う部分断面図である。
【図３】（Ａ）は、図２の部分拡大図であり、（Ｂ）は図ＡのＹ−Ｙ線に沿う断面図であり、（Ｃ）は、他の実施の形態の溝を示す断面図である。
【図４】図１のスライドドアの引戸下辺のキャスター部分を説明する部分断面図である。
【図５】図３の切り替えポイントの変更例を示す平面図である。
【図６】（Ａ）は図４のキャスターの変更例を示す部分断面図であり、（Ｂ）はその側面図である。
【図７】（Ａ）は図１のスライドドアの引戸上辺の案内軸を示す拡大斜視図であり、（Ｂ）はその平面図である。
【図８】本実施の形態におけるスライドドアの動作を説明する平面図である。
【図９】本実施の形態におけるスライドドアの動作を説明する平面図である。
【図１０】図６のキャスターの変更例を示す断面図である。
【図１１】図７のスライドドアの案内軸の変更例を示す拡大斜視図である。
【符号の説明】
１  スライドドア、２，３  引戸、４ａ，４ｂ，４Ｂ  切り替えポイント、５，５Ｂ    回転板、５ａ，５ｂ  凸部、６  ピン、７  規制突起、８，８Ｂ，８Ｃ  ８Ｄ  キャスター、８ａ，８ｂ  車輪、８ｃ  支持軸、８ｄ  基部、９  高低アジャスターナット、１０，１０Ｂ  横スライド溝、１０ｂ  フランジ部、１１，１２，１３，１４  縦スライド傾斜溝、２０  案内軸、２０ａ  軸、２０ｂリング体、２０ｃ  基部、２０ｄ  ナット、５０  物置、５２  開口下部、５３  開口上部
【図１】
2004218192.tif 000003
【図２】
2004218192.tif 000004
【図３】
2004218192.tif 000005
【図４】
2004218192.tif 000006
【図５】
2004218192.tif 000007
【図６】
2004218192.tif 000008
【図７】
2004218192.tif 000009
【図８】
2004218192.tif 000010
【図９】
2004218192.tif 000011
【図１０】
2004218192.tif 000012
【図１１】
2004218192.tif 000013